(57)【特許請求の範囲】
【請求項１】
複数の折丁を丁合し、綴じまたは糸かがりを行い、その後背部に接着剤を塗布して表紙を貼着するか、或いは無線綴じまたはあじろ式等により背部に接着剤を塗布して表紙を貼着する製本方法において、
前記表紙の天部の内側に小片を部分的に貼着したものを、丁合された複数の折丁の背部に貼着する工程と、
次に、前記背部以外の三方を断裁し、前記背部の天部にしおりの一端を差し込み貼着する隙間を作る工程と、
次に、該隙間にしおりの一端を貼着する工程と、
を有することを特徴とする一端を固定したしおりを有する並製本の製造方法。
【請求項２】
複数の折丁を丁合し、綴じまたは糸かがりを行い、その後背部に接着剤を塗布して表紙を貼着するか、或いは無線綴じまたはあじろ式等により背部に接着剤を塗布して表紙を貼着する製本方法において、
丁合された複数の折丁の前記背部に接着剤を塗布する工程と、
次に、該折丁の背部の天部に小片を貼着してから前記表紙を貼着する工程と、
次に、前記背部以外の三方を断裁し、前記背部の天部にしおりの一端を差し込み貼着する隙間を作る工程と、
次に、該隙間にしおりの一端を貼着する工程と、
を有することを特徴とする一端を固定したしおりを有する並製本の製造方法。
【発明の詳細な説明】
【０００１】
【発明の属する技術分野】
本発明は、複数の折丁を丁合し、該折丁の背部に接着剤を塗布して表紙を貼着し、背部以外の三方を断截して作る並製本に関し、特にしおりを設けた並製本及びその製造方法に関する。
【０００２】
【従来の技術】
従来は、図９に示すように、複数の折丁２を丁合して、糸でかがったり、針金で綴じたり、した後に該折丁２の背部に接着剤６を塗布して表紙３を貼着していた。或いは無線綴じ機で複数の折丁２を丁合し、その状態で挟んで固定したまま背部を切断し、接着剤が着きやすいようにキズを付けてから接着剤６を塗布して表紙３を貼着していた。
【０００３】
図１０は図９で表紙３を接着したものを、背部を除いて三方を断截して並製本９が完成した斜視図である。このように製造するので、上製本のように本の天部にしおりを設けることが不可能であった。また、従来は、天部を切断しない文庫本等以外は本格的なしおりを有する並製本はなく、読者の要望に答えることができなかった。
【０００４】
【発明が解決しようとする課題】
そこで、本発明は、従来不可能であった天部にしおりを有する並製本及びその製造方法を提供することを課題とする。
【０００５】
【課題を解決するための手段】
請求項１の発明は、複数の折丁を丁合し、綴じまたは糸かがりを行い、その後背部に接着剤を塗布して表紙を貼着するか、或いは無線綴じまたはあじろ式等により背部に接着剤を塗布して表紙を貼着する製本方法において、前記表紙の天部の内側に小片を部分的に貼着したものを、丁合された複数の折丁の背部に貼着する工程と、次に、前記背部以外の三方を断裁し、前記背部の天部にしおりの一端を差し込み貼着する隙間を作る工程と、次に、該隙間にしおりの一端を貼着する工程と、を有することを特徴とする一端を固定したしおりを有する並製本の製造方法である。
【０００６】
前記表紙の天部の内側に小片を部分的に貼着したものを用いて前記折丁の背部に貼着したので、三方断截後にしおりの一端を差し込める空間ができ、一端を固定したしおりを有する並製本を製造可能とした。
【０００７】
請求項２の発明は、複数の折丁を丁合し、綴じまたは糸かがりを行い、その後背部に接着剤を塗布して表紙を貼着するか、或いは無線綴じまたはあじろ式等により背部に接着剤を塗布して表紙を貼着する製本方法において、複数の折丁を丁合し、綴じまたは糸かがりを行い、その後背部に接着剤を塗布して表紙を貼着するか、或いは無線綴じまたはあじろ式等により背部に接着剤を塗布して表紙を貼着する製本方法において、丁合された複数の折丁の前記背部に接着剤を塗布する工程と、次に、該折丁の背部の天部に小片を貼着してから前記表紙を貼着する工程と、次に、前記背部以外の三方を断裁し、前記背部の天部にしおりの一端を差し込み貼着する隙間を作る工程と、次に、該隙間にしおりの一端を貼着する工程と、を有することを特徴とする一端を固定したしおりを有する並製本の製造方法である。丁合された折丁の前記背部に接着剤を塗布した後に、該折丁の背部の天部に小片を貼着してから前記表紙を貼着したので、三方断截後にしおりの一端を差し込める空間ができ、一端を固定したしおりを有する並製本を製造可能とした。
【０００８】
【発明の実施の形態】
実施の形態を図面を用いて詳細に説明する。図１は、本発明の一実施の形態を示すしおりを有する並製本１の斜視図である。丁合された複数の折丁２の背部に接着剤を塗布して表紙３を貼着して、背部を除いた三方断截後にしおり４を差し込み貼着したものである。
【０００９】
図２は、本発明の製造工程の説明図である。丁合された複数の折丁２の背部に接着剤６を塗布したものに、表紙３の背部の天部に小片５を貼着部７で固定したものを貼着する。そして、背部を除いた三方を断截すると図３に斜視図で示すようなしおりを挿入可能な隙間８を有する並製本ができる。この隙間８に図７、図８に示すようなしおりを差し込み貼着すれば図１に示すようなしおりを有する並製本１ができる。
【００１０】
小片５としては紙、合成紙、プラスチックシート、布、不織布、前記材料の積層体シート等が使用可能であるが、紙が好ましい。紙の場合は接着剤としては、いわゆるホットメルトが使用できるが、プラスチックシート等の場合は、使用するプラスチックに適する接着剤を選定する必要がある。
【００１１】
また、図６は、表紙３の背部に貼着する小片５の貼着方法を（イ），（ロ），（ハ），（ニ）に示したものである。このように小片５の貼着方法は、特に限定されるものでなく、丁合された折丁２に貼着されるまでズレたりしなければ、本発明の趣旨に反さない範囲でどのようでもよい。同様に小片の形も矩形に限定されるものではなく、本発明の趣旨に反さない範囲でどのようでもよい。
【００１２】
図４は、本発明の別の製造工程の説明図である。丁合された複数の折丁２の背部に接着剤６を塗布したものに、表紙３を貼着する前に小片５を背部の天部に貼着してから、表紙３を貼着するものである。このようにすることにより、背部を除いた三方を断截すると図５に斜視図で示すようなしおりを挿入可能な隙間８を有する並製本ができる。同様に、この隙間８に図７、図８に示すようなしおりを差し込み貼着すれば図１に示すようなしおりを有する並製本１ができる。図４における製造方法においても、小片５の形状は本発明の趣旨に反さない範囲でどのようでもよい。
【００１３】
【実施例】
以下図面を用いて実施例を説明する。
＜実施例１＞図１に示すようなしおりを有する並製本を作製した。オフセット輪転印刷機（４色＋４色）で印刷し、折丁（Ａ４サイズ，１６頁）を３５折製造した。折丁の紙の坪量は４５ｇ／ｍ2 で表紙用は１１０ｇ／ｍ2 にポリプロピレンをコートしたものを用いた。折丁３５折を丁合し糸でかがり、図２のようにホットメルト接着剤を塗布して、表紙の天部に３０ｍｍ×２０ｍｍの紙片を貼着し、丁合した折丁に貼着した。三方断截機で断截後、図７のしおり４を図３に示す隙間８に接着剤を付けて差し込み押圧した。
【００１４】
＜実施例２＞実施例１と同じ折丁と表紙を用いて、図４に示すように、２０ｍｍ×２０ｍｍの紙片をホットメルト接着剤を塗布した折丁の背部の天部に貼着し、その後表紙３を貼着した。三方断截後は図５のようになり隙間８が形成された。この隙間に図８のしおり４を接着剤を付けて差し込み押圧した。
【００１５】
【発明の効果】
請求項１の発明は、前記表紙の天部の内側に小片を部分的に貼着したものを用いて前記折丁の背部に貼着したので、三方断截後にしおりの一端を差し込める空間ができ、従来製造できなかったしおりを有する並製本を製造可能とした。従来はしおりを有する並製本がなかったので、本発明の製造方法を用いることにより製造可能となり、従来からの読者の要望に答えられるようになった。上製本との差が減少した。
【００１６】
請求項２の発明は、丁合された折丁の前記背部に接着剤を塗布した後に、該折丁の背部の天部に小片を貼着してから前記表紙を貼着したので、三方断截後にしおりの一端を差し込める空間ができ、従来製造できなかったしおりを有する並製本を製造可能とした。従来はしおりを有する並製本がなかったので、本発明の製造方法を用いることにより製造可能となり、従来からの読者の要望に答えられるようになった。上製本との差が減少した。
【図面の簡単な説明】
【図１】本発明の一実施の形態を示すしおりを有する並製本の斜視図である。
【図２】本発明の一実施の形態を示すしおりを有する並製本の製造方法を示す説明図である。
【図３】本発明の一実施の形態を示すしおりを有する並製本の製造方法を示す説明図である。
【図４】本発明の一実施の形態を示すしおりを有する並製本の別の製造方法を示す説明図である。
【図５】本発明の一実施の形態を示すしおりを有する並製本の別の製造方法を示す説明図である。
【図６】本発明の一実施の形態を示すしおりを有する並製本の製造方法を示す変形例（イ），（ロ），（ハ），（ニ）の説明図である。
【図７】しおりの説明図である。
【図８】しおりの別の説明図である。
【図９】従来の並製本の製造方法を示す説明図である。
【図１０】従来の並製本の製造方法を示す説明図である。
【符号の説明】
１…しおりを有する並製本、２…折丁、３…表紙、４…しおり５…小片、６…接着剤、７…貼着部、８…隙間、９…並製本
【図１】
0003608336.tif 000002
【図２】
0003608336.tif 000003
【図３】
0003608336.tif 000004
【図４】
0003608336.tif 000005
【図５】
0003608336.tif 000006
【図６】
0003608336.tif 000007
【図７】
0003608336.tif 000008
【図８】
0003608336.tif 000009
【図９】
0003608336.tif 000010
【図１０】
0003608336.tif 000011